(57)【要約】【課題】作業中におけるゴンドラの揺動を抑制するとともに、作業者のベランダへの乗降りを容易にし、作業の安全性を高めるゴンドラ用タラップを提供する。【解決手段】建物のベランダの手摺壁５の上面に載置する方形の載置部７を有し、該載置部７の対向する一方の辺に前側ステップ２０を上下方向に回動可能に備え、他方の辺に後側ステップ３０を上下方向に回動可能に備え、前記載置部７を前記手摺壁５の上面に載置し、前記前側ステップ２０を前記手摺壁５の内側に配置し、前記後側ステップ２０をゴンドラ１の内側に配置し、前記両ステップ２０，３０の前記配置状態を保持する保持手段を設ける。【選択図】図５
2020169459.tif 000002
【特許請求の範囲】
【請求項１】
建物の外壁面に沿って昇降するゴンドラに使用されるものであって、建物のベランダの手摺壁の上面に載置する方形の載置部を有し、該載置部の対向する一方の辺に足掛け用の前側ステップを上下方向に回動可能に連結して備え、他方の辺に足掛け用の後側ステップを上下方向に回動可能に連結して備え、前記載置部を前記手摺壁の上面に載置し、前記前側ステップを前記手摺壁の内側に配置し、前記後側ステップをゴンドラの内側に配置できるようにし、更に、前記両ステップの前記配置状態を保持する保持手段を設けたことを特徴とするゴンドラ用タラップ。
【請求項２】
前記載置部に、手摺部を起倒可能に設けるとともに、その手摺部の倒伏により該手摺部を収納できる収納空間を設けたことを特徴とする請求項１記載のゴンドラ用タラップ。
【請求項３】
前記後側ステップに保持支柱を設け、該保持支柱に保持筒を、その軸方向に摺動可能に設け、該保持筒をゴンドラの内側に固定するようにしたことを特徴とする請求項１及び２記載のゴンドラ用タラップ。
【発明の詳細な説明】
【技術分野】
【０００１】
本発明はゴンドラ、より詳しくは作業者が乗って建物等の塗装等を行うゴンドラに用いる、ゴンドラ用タラップに関する。
【背景技術】
【０００２】
従来、マンション等の中高層の建物に対する塗装等の修繕作業にゴンドラを使用する際、ワイヤで垂下されたゴンドラが風等により揺動することがある。
【０００３】
そのため、この揺れを防止する方法として、従来、ベランダの手摺壁の上端を把持するクランプ部を有する固定ブラケットをゴンドラに固設することにより、ゴンドラが、ベランダの手摺壁の外側面に対して接離方向に揺動することを防止したものが知られている（特許文献１参照）。
【先行技術文献】
【特許文献】
【０００４】
【特許文献１】特開２００１−２０７６３８
【発明の概要】
【発明が解決しようとする課題】
【０００５】
ところで、ゴンドラを用いて作業者が建物の塗装等の修繕作業を行う際には、そのゴンドラがベランダの手摺壁の側面に位置する場合に、作業者がゴンドラからベランダへ移動することがある。
【０００６】
この時、前記の固定ブラケットでゴンドラをベランダに固定する前記従来のものにおいては、作業者がベランダへ乗移る際には、作業者は、その足をゴンドラの床面から直接ベランダの手摺壁を乗越えさせる必要があり、作業者自身のベランダへの乗移りが困難である。
【０００７】
そこで本発明は、ゴンドラをベランダの手摺壁に係合させてゴンドラの揺れを抑制する機能と、作業者がゴンドラとベランダとの間を容易に移動することができる機能を兼ね備えて作業の安全性を高めるゴンドラ用タラップを提供することを目的とするものである。
【課題を解決するための手段】
【０００８】
前記の課題を解決するために、請求項１記載の発明は、建物の外壁面に沿って昇降するゴンドラに使用されるものであって、建物のベランダの手摺壁の上面に載置する方形の載置部を有し、該載置部の対向する一方の辺に足掛け用の前側ステップを上下方向に回動可能に連結して備え、他方の辺に足掛け用の後側ステップを上下方向に回動可能に連結して備え、前記載置部を前記手摺壁の上面に載置し、前記前側ステップを前記手摺壁の内側に配置し、前記後側ステップをゴンドラの内側に配置できるようにし、更に、前記両ステップの前記配置状態を保持する保持手段を設けたことを特徴とするものである。
【０００９】
請求項２記載の発明は、請求項１記載の発明において、前記載置部に、手摺部を起倒可能に設けるとともに、その手摺部の倒伏により該手摺部を収納できる収納空間を設けたことを特徴とするものである。
【００１０】
請求項３記載の発明は、請求項１又は２記載の発明において、前記後側ステップに保持支柱を設け、該保持支柱に保持筒を、その軸方向に摺動可能に設け、該保持筒をゴンドラの内側に固定するようにしたことを特徴とするものである。
【発明の効果】
【００１１】
本発明によれば、ゴンドラ用タラップの前側ステップをベランダの手摺壁の内側面に配置し、後側ステップをゴンドラの内側に配置して、両ステップで手摺壁とゴンドラを挟持することにより、ゴンドラが風等によりベランダの手摺壁の外壁面から離間することを防止し、ゴンドラを作業階において安定して保持することができ、建物への修繕作業が良好に行えると共に、作業者がベランダとゴンドラ間を移動する際のゴンドラの揺動を防止できる。
【００１２】
更に、ゴンドラ用タラップに前側ステップ及び後側ステップを備えることにより、作業者が手摺壁を乗越える際、作業者の昇降移動が容易に行えると共に、手摺壁の上面から直接降りることなく、ステップを利用して降りることができ転倒等のおそれを抑制することができる。
【００１３】
従って、ゴンドラの保持機能と作業者の昇降を容易にする機能の両機能を持たせることができる。
【００１４】
更に、手摺部を起倒可能に設けることにより、作業者の前記の移動が容易になるとともに、不使用時のコンパクト化を図ることができる。
【図面の簡単な説明】
【００１５】
【図１】本発明のゴンドラ用タラップと、これを設置するゴンドラと建物の配置状態を示す側断図。
【図２】図１のゴンドラ用タラップを平面状態に開いた表面図。
【図３】図２の裏面図。
【図４】図１のゴンドラ用タラップの両ステップを折り曲げて使用状態にした側面図。
【図５】図４におけるゴンドラ用タラップをゴンドラとベランダの手摺壁に配置した状態の斜視図。
【図６】図５の左から見た側面図。
【図７】図５の状態から手摺部を倒伏し前側ステップと載置部をベランダ内へ回動して収納した状態の斜視図。
【図８】図７の左から見た側面図。
【図９】図７の状態からゴンドラ用タラップを、ゴンドラの右側の内側面側に回動して退避収納させた状態の側面図。
【発明を実施するための形態】
【００１６】
本発明のゴンドラ用タラップの実施例を図に基づいて説明する。
［実施例１］
本発明を用いるゴンドラ１は、図１に示すように、建物２の塗装等の修繕作業において一般的に用いられる公知のゴンドラであり、建物２の屋上より垂下された吊下げワイヤ３により建物２の外壁面において昇降可能に吊持されるものである。
【００１７】
建物２は、中高層の建物が想定され、前記ゴンドラ１は、建物２におけるベランダ４の手摺壁５に対し、この手摺壁５の外面との間に適宜間隔を有して昇降可能に備えられる。
次に、前記図１に示すゴンドラ用タラップ６について説明する。
【００１８】
ゴンドラ用タラップ６は、図２，３に示すように、前記手摺壁５の上面に載置される方形の載置部７と、手摺部１５と、前側ステップ２０と後側ステップ３０とからなり、載置部７における対向する一方の辺に前側ステップ２０が連結され、載置部７の他方の辺に後側ステップ３０が連結されている。
【００１９】
なお、以下、載置部７に対し、前側ステップ２０側を前側とし、後側ステップ３０側を後側とする。
【００２０】
また、図２，３において、Ｘ−Ｘ方向を前後方向とし、Ｙ−Ｙ方向を左右方向とする。
前記載置部７は、左右方向（Ｙ−Ｙ方向）に所定の間隔を有して前後方向（Ｘ−Ｘ方向）に配置された一対の梁部８ａ，８ｂと、前後方向（Ｘ−Ｘ方向）に所定の間隔を有して左右方向（Ｙ−Ｙ方向）に配置された一対の円筒状の前側回動部９と円筒状の後側回動部１０とが、梁部８a，８ｂ間と、両回動部９、１０間に所定の収納空間７ａを有するように一体に形成され、この収納空間７ａに、この内法寸法と略同寸法に形成された手摺部１５が収納可能となっている。
【００２１】
手摺部１５には、円筒状の手摺回動部１６が設けられており、該手摺回動部１６が前記一方の梁部８ａに対し、その軸芯を回動中心として、梁部８ａの周方向に起倒可能で、かつ、Ｘ−Ｘ方向へ摺動可能に嵌装されている。
【００２２】
前記手摺回動部１６が嵌装される前記一方の梁部８ａには、上側ねじ孔１１と内側ねじ孔１２が、梁部８ａの周方向に対し、略９０度の間隔を有して設けられ、この上側ねじ孔１１と内側ねじ孔１２に対しアイボルト等の固定ボルト１３が着脱可能に螺着されるようになっている。
【００２３】
前記、手摺回動部１６における前記固定ボルト１３を有する側の端部には、該端部側が開口するボルト挿入長穴１７が設けられている。
【００２４】
そして、このボルト挿入長穴１７が上側ねじ孔１１又は内側孔ねじ１２と合致するように手摺部１５をＹ−Ｙ方向へ回動し、更に、手摺部１５を固定ボルト１３側へ移動して、ボルト挿入長穴１７を、固定ボルト１３に嵌合し、固定ボルト１３を螺着することにより、手摺部１５を使用位置となる起立させた状態、若しくは、収納空間７ａへ倒伏させた収納状態に、夫々位置決め保持できるようになっている。
【００２５】
また、前記載置部７の前側回動部９には、前側ステップ２０の円筒状の前側上桟２１が、その軸芯を中心として、前側上桟２１の周方向に回動可能に、かつ、Ｙ−Ｙ方向に摺動可能に挿通されている。
【００２６】
また、図３に示すように、その前側回動部９の裏面側には、該前側回動部９の一方の端部において、前側支柱２２が嵌合する切欠き状の前側保持手段１８が、前側支柱２２の直径と略同径で、一端が開口し、かつ、軸方向に形成されている。
【００２７】
前記の構成により、前側ステップ２０を図３の状態から上方へ回動させた後、前側支柱２２を前側保持手段１８内へ移動嵌入させることにより、使用時において、前側ステップ２０を載置部７に対し直交方向への垂下状態に保持できるようになっている。
【００２８】
なお、前記前側ステップ２０には、その使用状態において、上側の前側上桟２１に対向する下側に位置して、作業者が足を掛けることができる前側踏桟２３が形成されている。
また、前記後側回動部１０は、前側回動部９と同様に形成され、載置部７において前側回動部９と対向する側に配置されている。
【００２９】
後側回動部１０には、後側上桟３１、後側支柱３２、後側踏桟３３を有する後側ステップ３０が、前側ステップ２０と同様に構成され、その後側上桟３１が後側回動部１０に回動可能に挿通されており、これらは前側ステップ２０と同様の構造であるためその説明を省略する。
【００３０】
また、前記後側ステップ３０には、図２〜６に示すように、使用状態において下方に延設するように保持支柱３２ａが一体に形成され、その保持支柱３２ａがゴンドラ１の構造体に固設される円筒状の保持筒４０に、上方より挿通されるようになっている。
【００３１】
保持支柱３２ａを、ゴンドラ１に固定された保持筒４０内に摺動可能に嵌合することにより、ゴンドラ用タラップ６の使用時には、ゴンドラ用タラップ６が、その手摺壁５への載置状態からの脱落することを防止すると共に、図７に示すように、ゴンドラ用タラップ６をゴンドラ内に収納する際には、ゴンドラ用タラップ６を立設して保持できるようになっている。
【００３２】
次に、ゴンドラ用タラップ６の使用状態について説明する。
【００３３】
ゴンドラ用タラップ６を作業現場で使用する際には以下のように設置する。
【００３４】
まず、ゴンドラ用タラップ６を図２、３に示す平面状に開いた状態から、図５、６に示すように、載置部７を手摺壁５の上面及びゴンドラの前手摺１ａの上面に渡って載置すると共に、前側ステップ２０と後側ステップ３０を建物２の下方側へ屈曲して垂下させ、保持支柱３２ａをゴンドラ１に固定した保持筒４０に挿入する。
【００３５】
そして、載置部７に対し垂下された前側ステップ２０と後側ステップ３０とを、Ｙ−Ｙ方向（図３における右方向）へ摺動させ、切欠穴からなる前側保持手段１８と、切欠穴からなる後側保持手段１９内に前側支柱２２と後側支柱３２を嵌入することにより、前側ステップ２０と後側ステップ３０がロックされ、その垂下状態が保持される。
【００３６】
これにより、ゴンドラ用タラップ６の前後のステップ２０，３０が、手摺壁５の上部とゴンドラの前手摺１ａとを挟持し、ゴンドラ１のＸ−Ｘ方向、すなわち、建物２の外壁面に対する接離方向の揺動が抑制される。
【００３７】
次に、手摺部１５を、図２の倒伏状態から図５、６に示すように、上方に９０度回動して起立させ、その後Ｘ−Ｘ方向に摺動させて、ボルト挿入長穴１７を上側ねじ孔１１に合致させ、固定ボルト１３をボルト挿入長穴１７に挿通すると共に、上側ねじ孔１１に螺着固定することにより、手摺部１５を起立状態に保持する。
【００３８】
上記により、建物２の塗装等の修繕を行う作業者は、ゴンドラ１からベランダ４へ昇降移動する際、まず、手摺部１５に手をかけ、後側踏桟３３に足を掛け、手摺壁５を乗越えて、前側踏桟２３に足を掛けたのち、ベランダ４の床面へと着地する。
【００３９】
ベランダ４からゴンドラ１へ移る場合には、上記と逆の手順により行う。
【００４０】
次に、ゴンドラ用タラップ６の収納状態について説明する。
【００４１】
作業者が、その階での作業を終了し、建物２の他の階又は隣接する他の場所へゴンドラ１を移動させる場合には、ゴンドラ用タラップ６をゴンドラ１内へ収納させる。
【００４２】
このとき、まず、手摺部１５を前記起立手順と逆の手順で、載置部７の収納空間７ａ内に収納し、固定ボルト１３をボルト挿入長穴１７を通じて内側ねじ孔１２に螺着固定する。
【００４３】
次に、前側ステップ２０と後側ステップ３０のロックを外すために、前側ステップ２０と後側ステップ３０をＹ−Ｙ方向（図３の右側方向）へ摺動させ、切欠穴からなる前側保持手段１８と後側保持手段１９から前側支柱２２と後側支柱３２を外す。
【００４４】
そして、図５，６の状態から図７、８に示すように、ゴンドラ用タラップ６の前側ステップ２０を前側回動部９を中心として手摺壁５の上面側へ回動折曲させ、更に、載置部７をゴンドラ１側へ折曲させて、ゴンドラ１内へ倒伏させる。
【００４５】
更に、図７、８の状態から保持支柱３２ａを保持筒４０内で周方向、すなわち、ゴンドラ１の側面側に回動させて、図９に示すように、ゴンドラ用タラップ６をゴンドラ１の側面側へ退避させる。
【００４６】
なお、ゴンドラ１の側面側の構造体と退避させたゴンドラ用タラップ６を適宜の締結手段で不動に固定してもよい。
【００４７】
以上の構成により、本発明のゴンドラ用タラップ６によれば、ゴンドラ用タラップ６がベランダ４の手摺壁５の上部とゴンドラ１の前手摺１ａを挟持し、更に、載置部７がベランダ４の手摺壁５の上面に載置係合することにより、ゴンドラ１がベランダ４の外壁面から接離方向に揺動することを抑制し、ゴンドラ１を作業階において安定して保持することができる。
【００４８】
そのため、ゴンドラ１内からの建物２への塗装等の修繕作業が良好に行えると共に、作業者がベランダ４とゴンドラ１間を移動する際に、ゴンドラ１が揺動することを抑制できる。
【００４９】
更に、前側ステップ２０及び後側ステップ３０を備えることにより、作業者が手摺壁５を乗越える際、作業者の昇降移動が容易になると共に、手摺壁５の上面から直接降りることなく、転倒等のおそれを抑制することができる。
【００５０】
また、手摺部１５を設けることにより、作業者が、手摺部１５を手掛け部として安全に昇降移動できると共に、この手摺部１５をゴンドラ１の側端部側に設置することにより、この手摺部１５が壁となり、ゴンドラ１の側端側への作業者の落下を防止できる。
【００５１】
また、保持支柱３２ａを保持筒４０に遊嵌することにより、ゴンドラ１が上下方向に遊動した場合に、保持支柱３２ａが追従して保持筒４０内を上下方向に摺動する。
【００５２】
そのため、ゴンドラ１がベランダ４の作業位置より下方に移動した時には、保持支柱３２ａと保持筒４０とが係合状態で伸長するため、ゴンドラ用タラップ６が手摺壁５上の載置位置から脱落することを防止できる。
【００５３】
一方、ゴンドラ１がベランダ４の作業位置より上方に移動した場合には、保持支柱３２ａが保持筒４０に支持されつつ、ゴンドラ１の上方移動と追従して、ゴンドラ用タラップ６が手摺壁５上の載置位置から上方へ離間しても、ゴンドラ用タラップ６が前手摺１ａ上から脱落しないように保持される。
【００５４】
更に、保持筒４０による支持により、ゴンドラ用タラップ６をゴンドラ１内に収納する場合には、ゴンドラ用タラップ６を図７に示すような、立設状態にして、小スペースでゴンドラ１内に収納することができる。
【００５５】
更に、保持支柱３２ａを保持筒４０内において、保持支柱３２ａの軸芯を中心としてゴンドラの側壁側へ回動させることにより、ゴンドラ１内の側面側にゴンドラ用タラップ６を収納できると共に、ゴンドラ１の正面側の作業時においても、その施工の邪魔とならない。
［その他の実施例１］
なお、本実施例１では、前側ステップ２０及び後側ステップ３０の保持手段１８，１９を切欠穴で形成したが、この方法に限らず、螺子など、他の保持手段を用いてもよい。
【００５６】
また、手摺部１５の位置決め手段にアイボルトなどの固定ボルト１３を用いたが、他の位置決め手段を用いてもよい。
【符号の説明】
【００５７】
１      ゴンドラ
２      建物
４      ベランダ
５      手摺壁
７      載置部
７ａ    収納空間
１５    手摺部
１８    前側保持手段
１９    後側保持手段
２０    前側ステップ
３０    後側ステップ
３２ａ  保持支柱
４０    保持筒
【図１】
2020169459.tif 000003
【図２】
2020169459.tif 000004
【図３】
2020169459.tif 000005
【図４】
2020169459.tif 000006
【図５】
2020169459.tif 000007
【図６】
2020169459.tif 000008
【図７】
2020169459.tif 000009
【図８】
2020169459.tif 000010
【図９】
2020169459.tif 000011